(57)【特許請求の範囲】
【請求項１】
給油ポンプから流量計を介して給油ノズルに燃料油を送る給油機構と、該給油機構を制御する給油制御装置と、各々が前記給油機構を制御するための給油設定を行う複数のスイッチ手段と、給油データを表示する情報表示部と、前記給油ノズルを保持するノズル掛けと、該ノズル掛けに前記給油ノズルが保持されている際にＯＦＦの状態を保ち、前記ノズル掛けから前記給油ノズルが外されている際にＯＮの状態を保つノズルスイッチとを備え、
前記給油機構は、前記給油ポンプを駆動してから一定時間が経過すると、燃料油の流量を少なくする給油を行い、
前記給油機構による給油後に、前記ノズルスイッチがＯＮの状態で前記複数のスイッチ手段のいずれか１つをＯＮにすると、前記情報表示部における給油データの表示を帰零し、前記給油機構によって再度給油がなされ、該給油機構による給油データをプリンタに送信し、キーパッドの所定の釦が押圧されると、伝票の印字を行い、伝票の印字を一度しか行わないように、印字した給油データをクリアし、次の給油データの入力に備えて、スタートへ戻り、所定時間経過してもキーパッドの所定の釦が押圧されない場合には、顧客が伝票の印字を希望していないと判断し、次の給油データの入力に備えて、スタートへ戻ることを特徴とする給油装置。
【請求項２】
前記複数のスイッチ手段と前記情報表示部が水平方向に離間するように配置されることを特徴とする請求項１に記載の給油装置。
【請求項３】
前記複数のスイッチ手段の少なくとも１つは、前記給油機構によって所定の量、又は予め定められた金額に応じた所定の量を給油するように給油設定を行うことを特徴とする請求項１又は２に記載の給油装置。
【請求項４】
前記複数のスイッチ手段による給油設定データは、前記情報表示部に表示されることを特徴とする請求項１、２又は３に記載の給油装置。
【請求項５】
前記複数のスイッチ手段のいずれか１つがＯＮにされた際に、該ＯＮにされたスイッチ手段に対応する内蔵ランプが点灯することを特徴とする請求項１乃至４のいずれかに記載の給油装置。
【発明の詳細な説明】
【技術分野】
【０００１】
本発明は、給油装置に関し、特に、バイクへの給油に好適に用いることのできる給油装置に関する。
【背景技術】
【０００２】
給油所には自動車のみならずバイクも給油に訪れる。しかし、給油所に設置されている給油装置でバイクに給油する場合には、給油レバーの握り状態で吐出量を調整するのが難しいため、給油の際に燃料タンクの給油口より燃料油が溢れたりして給油し難い。【０００３】
そこで、本出願人は、バイク給油許可スイッチからのバイク給油許可信号を受けて、吐出量を絞った給油可能状態とすることで、給油に不馴れな顧客自身が給油をしても油を溢れさせることがなく、バイクへの給油をスムーズに行うことのできる給油装置を提案した（特許文献１参照）。
【先行技術文献】
【特許文献】
【０００４】
【特許文献１】日本特開平１０−１６７３９９号公報
【発明の概要】
【発明が解決しようとする課題】
【０００５】
特許文献１に記載の発明は有効であるが、給油量を絞るための設定や制御が複雑になり、装置が高価になる虞があった。【０００６】
また、新興国、特に東南アジア諸国ではバイクの利用が多く、給油所における給油方法は小定額給油が一般的となっている。そのため、給油所の計量機周辺は多数のバイクで混雑し、給油を待っている光景が各地でみられる。また、給油者による不正給油の問題もある。【０００７】
そこで、本発明は、上記問題点に鑑みてなされたものであって、バイク給油に特化して操作性を向上させると共に、給油者による不正給油を防止することができる給油装置を提供することを目的とする。
【課題を解決するための手段】
【０００８】
上記目的を達成するため、本発明の給油装置は、給油ポンプから流量計を介して給油ノズルに燃料油を送る給油機構と、該給油機構を制御する給油制御装置と、各々が前記給油機構を制御するための給油設定を行う複数のスイッチ手段と、給油データを表示する情報表示部と、前記給油ノズルを保持するノズル掛けと、該ノズル掛けに前記給油ノズルが保持されている際にＯＦＦの状態を保ち、前記ノズル掛けから前記給油ノズルが外されている際にＯＮの状態を保つノズルスイッチとを備え、前記給油機構は、前記給油ポンプを駆動してから一定時間が経過すると、燃料油の流量を少なくする給油を行い、前記給油機構による給油後に、前記ノズルスイッチがＯＮの状態で前記複数のスイッチ手段のいずれか１つをＯＮにすると、前記情報表示部における給油データの表示を帰零し、前記給油機構によって再度給油がなされ、該給油機構による給油データをプリンタに送信し、キーパッドの所定の釦が押圧されると、伝票の印字を行い、伝票の印字を一度しか行わないように、印字した給油データをクリアし、次の給油データの入力に備えて、スタートへ戻り、所定時間経過してもキーパッドの所定の釦が押圧されない場合には、顧客が伝票の印字を希望していないと判断し、次の給油データの入力に備えて、スタートへ戻ることを特徴とする。
【０００９】
本発明によれば、スイッチ手段を切り替えるだけの簡単な操作で給油機構を制御するための給油設定を行うことができ、操作性を向上させることができる。また、次の給油の開始と、次の給油の給油データへの表示切替を同時に行うことができ、多くの顧客に次々に給油する場合に迅速に対応することができる。また、給油ノズルをノズル掛けに戻さずに、スイッチ手段を切り替えるのみで給油を連続して行うことができるため、連続給油中に給油ノズルをノズル掛けに戻す操作及び時間を節約することができ、給油所等の混雑緩和に繋がる。さらに、給油データの印字を希望する利用者の給油時だけプリンタにて給油データの印字を行うことで、給油所等の混雑をさらに緩和することができる。さらに、給油機構が、給油ポンプを駆動してから一定時間が経過すると、燃料油の流量を少なくする給油を行うことで、バイク等の燃料タンクの給油口から燃料油があふれ出るのを防ぐ。また、給油後の給油データを必ず印字するのではなく、顧客が給油データの印字を希望する場合にのみ印字を行うことで、迅速かつ円滑に給油を行うことができる。
【００１１】
また、前記スイッチ手段と前記情報表示部が水平方向に離間するように配置することで、給油装置と顧客との間に給油者が位置する場合に、給油者の身体によってスイッチ手段と情報表示部の両方が隠れることを回避できるため、給油者が顧客から受け取った金額分よりも少ない量を給油するなどの不正を防止することができる。【００１２】
上記給油装置において、前記複数のスイッチ手段の少なくとも１つは、前記給油機構によって所定の量、又は予め定められた金額に応じた所定の量を給油するように給油設定を行うことができる。これにより、バイクの燃料タンク等を満タンにする場合のみならず、少量を給油する場合に迅速に対応することができる。【００１３】
さらに、前記複数のスイッチ手段による給油設定データを前記情報表示部に表示することができ、容易に給油量やプリセット給油のために予め定められた金額等を確認することができる。【００１４】
前記複数のスイッチ手段のいずれか１つがＯＮにされた際に、該ＯＮにされたスイッチ手段に対応する内蔵ランプを点灯させることができる。これにより、情報表示部のみならず内蔵ランプでもプリセット給油のために予め定められた給油量や金額等を容易に確認することができるため、不正給油をより効果的に防止することができる。
【発明の効果】
【００１５】
以上のように、本発明によれば、バイク給油に特化して操作性を向上させると共に、給油者による不正給油を防止することができる給油装置を提供することができる。
【図面の簡単な説明】
【００１６】
【図１】本発明に係る給油装置の第１の実施形態を示す全体構成図である。
【図２】図１に示す給油装置に備えられる給油制御装置のブロック図である。
【図３】本発明に係る給油装置における時間に応じた給油量の変化を示すグラフである。
【図４】本発明に係る給油装置の第２の実施形態を示す全体構成図である。
【図５】本発明に係る給油装置の第３の実施形態を示す上面図である。
【図６】本発明に係る給油装置の第４の実施形態を示す上面図である。
【図７】本発明に係る給油装置の第５の実施形態を示す全体構成図である。
【図８】本発明に係る給油装置の第６の実施形態を示す正面図である。
【図９】図８に示す給油装置の側面図である。
【図１０】図８に示す給油装置の表示装置の拡大図である。
【図１１】図９に示すプリンタの拡大正面図である。
【図１２】図８に示す給油装置に備えられる給油制御装置のブロック図である。
【図１３】図８に示す給油装置の動作を説明するためのフローチャートである。
【図１４】図９に示すプリンタの動作を説明するためのフローチャートである。
【発明を実施するための形態】
【００１７】
次に、本発明を実施するための形態について、図面を参照しながら詳細に説明する。
【００１８】
図１は、本発明に係る給油装置の第１の実施形態を示し、この給油装置１は、上部ケース３と、下部ケース４と、支柱ケース５とで構成されるコの字型のハウジング本体２を備える。
【００１９】
上部ケース３には、給油を行うプリセットスイッチ６（６Ａ、６Ｂ）と、フリー給油スイッチ７と、給油中に押された場合に給油装置１の全ての動作を停止させる緊急停止スイッチ８と、給油装置１全体を制御する給油制御装置９と、データを表示する情報表示部１０と、プリセットスイッチ６及びフリー給油スイッチ７の中心部に設けられる内蔵ランプ１１（１１Ａ〜１１Ｃ）と、初期設定を行うキーパッド１２と、給油装置１に人が近づいたことを検知する人体センサ１３と、報知器１４等が配置される。
【００２０】
プリセットスイッチ６は、予め定められた金額に応じた所定の量の燃料を給油するために設けられ、例えば、プリセットスイッチ６Ａは５００円分、プリセットスイッチ６Ｂは３００円分の燃料を給油するために設けられる。また、フリー給油スイッチ７は、バイク等の燃料タンクに満タン給油する際などに用いられる。これらのスイッチ６、７には押し釦式のものを用いることができ、押し釦を内照式としたり、大型化することで操作性を向上させ、押し間違えを防止することができる。押し釦以外にも、手を触れることでＯＮとＯＦＦとが切り替わるスイッチ等を用いることもできる。
【００２１】
給油制御装置９は、ノズルスイッチ２０や流量計１７等からなる給油機構や情報表示部１０を含む給油装置１全体を制御するために備えられる。給油制御装置９の詳細構成については後述する。
【００２２】
情報表示部１０は、給油に関する情報を表示するために備えられる。情報表示部１０は、表示器１０ａとステイタスランプ１０ｂとで構成され、表示器１０ａにはプリセット給油のために予め定められた金額、その金額に応じた給油量、燃料油の単価等が数字で表示される。また、表示器１０の下方のステイタスランプ１０ｂが点灯することによって、給油者が、押されたプリセットスイッチ６又はフリー給油スイッチ７、ノズルスイッチ２０の状態、消耗品交換時期等を認識することができる。
【００２３】
内蔵ランプ１１は、対応するプリセットスイッチ６又はフリー給油スイッチ７がＯＮになった際に点灯し、従業員や顧客が容易に押されたスイッチ６、７を認識することができる。また、情報表示部１０と内蔵ランプ１１の両方でプリセット給油のために予め定められた金額、金額に応じた給油量を認識することができるため、給油者が顧客から受け取った金額分よりも少ない量を給油する不正、例えば５００円分の給油を行うべきであるにも拘わらず３００円分の給油しか行わないことを防止することができる。
【００２４】
キーパッド１２は、マグネットシートにキーボードシートを貼着したものなどが用いられ、給油装置１の初期設定及び設定変更を行うことができる。
【００２５】
人体センサ１３は、給油装置１に人が近づいたことを検知するために備えられ、人を検知すると内蔵ランプ（不図示）が点灯し、給油設定案内音声が流れる。人が給油装置１から離れて人体センサ１３がそれを検知しなくなってから一定時間が経過すると、内蔵ランプが消え、節電が行われる。
【００２６】
報知器１４は、燃料油が吹きこぼれないように音声を発して注意を促すためなどの目的で設けられる。
【００２７】
下部ケース４は、上部ケース３の下方に設置され、この下部ケース４には、燃料油の流量を制御する第１バルブ１５、第２バルブ１６と、燃料油の流量を計測する流量計１７と、フィルター１８等が収容されている。第１バルブ１５は多量の燃料油を流すことができ、第２バルブ１６は少量の燃料油を流すことができる。
【００２８】
支柱ケース５は、その片方の側面が、上部ケース３及び下部ケース４の側面と接するように設けられ、支柱ケース５には、給油ホース２３の先端に取り付けられた給油ノズルを掛け置くためのノズル掛け１９が形成され、ノズル掛け１９の近傍には、給油ノズルの掛け外しを検知するノズルスイッチ２０が付設される。
【００２９】
ノズルスイッチ２０は、給油ノズルがノズル掛け１９に保持されているときはＯＦＦになっており、給油ノズルがノズル掛け１９から外されるとＯＮになる。
【００３０】
ポンプ室２１は、内部に給油ポンプ（サクションポンプ）２２が設けられ、地下タンク（不図示）から給油ポンプ２２によって汲み上げられた燃料油を給油装置１の下部ケース４内に導入する。給油ポンプ２２からは給油装置１以外の他の給油装置にも燃料油が供給される。尚、サクションポンプに代えて、油中ポンプを用いることもできる。
【００３１】
給油制御装置９は、図２に示すように、計数手段９ａと、クォーツ９ｂと、保守判断手段９ｃと、記憶手段９ｄと、ステイタスランプ１０ｂに所定の情報を表示させるステイタスランプ駆動手段９ｅと、給油ポンプ２２を駆動するポンプ駆動手段９ｆと、第１バルブ１５及び第２バルブ１６を駆動するバルブ駆動手段９ｇと、表示器１０ａを駆動する表示器駆動手段９ｈと、報知器１４を駆動する報知器駆動手段９ｉと、設定量に達したか否かを判断する設定量判断手段９ｊとを備える。
【００３２】
計数手段９ａは、流量計１７の流量パルス発信器からの流量パルス信号をカウントし、プリセットスイッチ（ＳＷ）６（６Ａ、６Ｂ）、フリー給油スイッチ（ＳＷ）７及びノズルスイッチ（ＳＷ）２０からの信号を受信して、保守判断手段９ｃ及び表示器駆動手段９ｈに駆動信号等を送信する。
【００３３】
クォーツ９ｂは、計時手段として設けられ、消耗部品の交換時期を決定するための経過時間等を測定する。
【００３４】
保守判断手段９ｃは、給油ホース２３、給油ノズル（不図示）等の消耗部品の交換時期等を判断するために備えられ、計数手段９ａから送信された計数信号を受信して、記憶手段９ｄと計数信号の授受を行い、ステイタスランプ駆動手段９ｅに駆動信号を送信する。
【００３５】
記憶手段９ｄは、各種の給油データや、給油ホース２３、給油ノズル等の消耗部品の交換時期等を記憶するために備えられ、交換時期は、使用年数や積算給油量に応じて定められる。
【００３６】
ステイタスランプ駆動手段９ｅは、保守判断手段９ｃ、プリセットスイッチ６、フリー給油スイッチ７及びノズルスイッチ２０から送信された信号を受信してステイタスランプ１０ｂを駆動するために備えられる。
【００３７】
ポンプ駆動手段９ｆは、プリセットスイッチ６、フリー給油スイッチ７、緊急停止スイッチ（ＳＷ）８、ノズルスイッチ２０及び設定量判断手段９ｊから送信された信号を受信して給油ポンプ２２を駆動停止するために備えられる。
【００３８】
バルブ駆動手段９ｇは、プリセットスイッチ６、フリー給油スイッチ７、緊急停止スイッチ８、ノズルスイッチ２０及び設定量判断手段９ｊから信号を受信して第１バルブ１５、第２バルブ１６を開閉するために備えられる。
【００３９】
表示器駆動手段９ｈは、計数手段９ａから信号を受信して表示器１０ａを駆動するために備えられ、報知器駆動手段９ｉは、計数手段９ａから信号を受信して報知器１４を駆動するために備えられる。
【００４０】
上記給油ポンプ２２から流量計１７を介して給油ノズルに燃料油を送る給油機構、及び給油制御装置９は、図１においてハウジング本体２の手前側だけでなく、裏側にもさらに一式設けることができ、ハウジング本体２の両面からバイク等に給油を行うことができる。
【００４１】
次に、上記構成を有する給油装置１の動作について図１乃至図３を参照しながら説明する。
【００４２】
まず、図１において、キーパッド１２で給油装置１の初期設定を行う。初期設定終了後、給油所の従業員等の給油者が給油を行うために給油装置１に近づくと、人体センサ１３がそれを検知し、人体センサ１３に対応する内蔵ランプが点灯する。これに伴い、給油装置１でなされていた節電状態が解除され、給油設定案内音声が流れる。
【００４３】
次に、給油者が給油ノズルをノズル掛け１９から外すと、ノズルスイッチ２０がＯＮになり、ＯＮ信号が給油制御装置９の計数手段９ａ及びポンプ駆動手段９ｆに送出される。給油ノズルの先端部をバイク等の燃料タンクの給油口に挿入した後、顧客が所望する給油量や、顧客が支払う金額に応じて、給油者はプリセットスイッチ６（６Ａ又は６Ｂ）あるいはフリー給油スイッチ７を指で押す。これにより、スイッチ６、７から給油制御装置９の計数手段９ａ及びステイタスランプ駆動手段９ｅへＯＮ信号が送信されると共に、押されたスイッチ６、７に対応する内蔵ランプ１１（１１Ａ〜１１Ｃ）が点灯する。
【００４４】
例えば、プリセットスイッチ６Ａが押されたとすると、プリセットスイッチ６Ａから計数手段９ａ、ステイタスランプ駆動手段９ｅ、設定量判断手段９ｊ、ポンプ駆動手段９ｆ及びバルブ駆動手段９ｇに信号が送信され、ステイタスランプ駆動手段９ｅによってプリセットスイッチ６Ａに対応するステイタスランプ１０ｂが点灯すると共に、計数手段９ａを介して表示器駆動手段９ｈによって表示器１０ａに表示されていた前回の給油量を帰零した後、ポンプ駆動手段９ｆによって給油ポンプ２２を駆動し、地下タンク（不図示）から燃料油を汲み上げ、バルブ駆動手段９ｇによって第１バルブ１５を開き、フィルター１８、流量計１７、第１バルブ１５、給油ホース２３を介して給油ノズルの先端からバイク等の燃料タンクに給油する。
【００４５】
給油中は、流量計１７の流量パルス発信器からの流量パルス信号を計数手段９ａでカウントし、カウント値に基づいて表示器１０ａに給油量を表示する。図３に示すように、給油ポンプ２２を駆動してから一定時間が経過するまで（又は一定量給油するまで）は、第１バルブ１５を開いて燃料油の流量を多くし、その後第１バルブ１５を閉じて第２バルブ１６のみを開いて燃料油の流量を少なくすることで、バイク等の燃料タンクの給油口から燃料油があふれ出るのを防ぐ。
【００４６】
上記動作と共に、計数手段９ａによるカウント値を設定量判断手段９ｊに送信し、設定量判断手段９ｊで設定量（５００円分の給油量）に達したか否か判断する。設定量判断手段９ｊが設定量に達したと判断すると、バルブ駆動手段９ｇによって第２バルブ１６を閉じ、ポンプ駆動手段９ｆによって給油ポンプ２２の運転を停止する。
【００４７】
一方、プリセットスイッチ６Ｂが押された場合には、ステイタスランプ駆動手段９ｅによってプリセットスイッチ６Ｂに対応するステイタスランプ１０ｂが点灯すること、及び設定量判断手段９ｊで設定量（３００円分の給油量）に達したか否か判断する点のみが上記動作と異なり、他の動作は同様である。
【００４８】
また、フリー給油スイッチ７が押された場合には、ステイタスランプ駆動手段９ｅによってフリー給油スイッチ７に対応するステイタスランプ１０ｂが点灯すること、及び再度フリー給油スイッチ７が押されるまで給油を継続する点のみが上記動作と異なり、他の動作は同様である。
【００４９】
上記プリセットスイッチ６やフリー給油スイッチ７による給油の際には、情報表示部１０の表示器１０ａに、プリセット給油のために予め定められた金額、金額に応じた給油量、燃料油の単価等が数字で表示され、押されたプリセットスイッチ６又はフリー給油スイッチ７、ノズルスイッチ２０の状態、消耗品交換時を認識するためのステイタスランプ１０ｂが点灯する。
【００５０】
給油終了後は、ノズル掛け１９に給油ノズルを戻すことなく、再度プリセットスイッチ６又はフリー給油スイッチ７を押すことで給油を再開し、再給油後の給油データを外部のプリンタに送信することができる。給油者が給油装置１の付近から離れた場合は、所定時間経過後に給油装置１は再び節電モードに入る。
【００５１】
尚、緊急時には緊急停止スイッチ８を押すことで、緊急停止スイッチ８からポンプ駆動手段９ｆ及びバルブ駆動手段９ｇに停止信号が送信され、ポンプ駆動手段９ｆによって給油ポンプ２２の運転を停止し、バルブ駆動手段９ｇによって第１バルブ１５又は第２バルブ１６を閉じて給油動作を停止する。
【００５２】
また、例えば、フリー給油スイッチ７を押して給油している際に、計数手段９ａによるカウント値が所定の値を超えたような場合には、報知器駆動手段９ｉによって報知器１４から燃料油が吹きこぼれないように音声を発して注意を促す。
【００５３】
以上のように、本実施の形態によれば、プリセットスイッチ６又はフリー給油スイッチ７を押すだけの簡単な操作で、給油機構を制御するための給油設定を行うことができる。
【００５４】
また、プリセットスイッチ６を設けたことで、バイク等の燃料タンクを満タンにする場合のみならず、少量を給油する場合に容易に対応することができ、プリセットスイッチ６を押すのみで所定の量やプリセット給油のために予め定められた金額に応じた所定の量を自動的に給油することができるため、迅速かつ円滑に給油を行うことができる。
【００５５】
さらに、給油ノズルをノズル掛け１９に戻さずに、プリセットスイッチ６又はフリー給油スイッチ７を押すのみで給油を連続して行うことができるため、連続給油中に給油ノズルをノズル掛けに戻す操作及び時間を節約することができ、給油所等の混雑緩和につながる。
【００５６】
また、プリセットスイッチ６又はフリー給油スイッチ７による給油設定データを情報表示部１０に表示することで、容易に給油設定データを確認することができ、プリセットスイッチ６又はフリー給油スイッチ７のいずれか１つがＯＮにされた際に、ＯＮにされたスイッチに対応する内蔵ランプ１１を点灯させることで、情報表示部１０のみならず内蔵ランプ１１でも給油量や、プリセット給油のために予め定められた金額等を容易に確認することができ、プリセットスイッチ６やフリー給油スイッチ７と、情報表示部１０とを水平方向に離間するように配置したことで、給油装置１と顧客との間に給油者が位置する場合に、給油者の身体によってプリセットスイッチ６やフリー給油スイッチ７と、情報表示部１０の両方が隠れることを回避できるため、給油者が顧客から受け取った金額分よりも少ない量を給油するなどの不正を防止することができる。
【００５７】
さらに、コンパクトなコの字型のハウジング本体２を採用することで、良好な視認性を確保し、給油所内での操作性が向上する。
【００５８】
次に、本発明に係る給油装置の第２の実施形態について、図４を参照しながら説明する。尚、図４に示した給油装置３１において、図１に示した給油装置１と同一の構成要素については、同一の参照番号を付して詳細説明を省略する。
【００５９】
この給油装置３１は、上部ケース３３と、下部ケース３４と、支柱ケース３５、３６とで構成される直方体状のハウジング本体３２を備える。
【００６０】
上部ケース３３には、給油を行うプリセットスイッチ６（６Ａ、６Ｂ）と、フリー給油スイッチ７と、プリセットスイッチ６及びフリー給油スイッチ７の中心部に設けられる内蔵ランプ１１（１１Ａ〜１１Ｃ）と、データを表示する情報表示部１０とが各々２つずつ設けられ、さらに、給油中に押された場合に給油装置３１の全ての動作を停止させる緊急停止スイッチ８と、給油装置３１全体を制御する給油制御装置（不図示）と、初期設定を行うキーパッド１２と、給油装置１に人が近づいたことを検知する人体センサ１３と、報知器１４等が配置される。
【００６１】
下部ケース３４には、図示を省略するが、燃料油の流量を制御する第１バルブ１５、第２バルブ１６と、燃料油の流量を計測する流量計１７と、フィルター１８等が各々２つずつ設けられる。
【００６２】
支柱ケース３５、３６は、各々のケースの片方の側面が、上部ケース３３及び下部ケース３４の側面と接するように設けられ、支柱ケース３５、３６の各々には、給油ホース２３の先端に取り付けられた給油ノズル３７を掛け置くためのノズル掛け（不図示）が形成され、ノズル掛けの近傍には、給油ノズル３７の掛け外しを検知するノズルスイッチ（不図示）が付設される。
【００６３】
上部ケース３３の右側に配置された１組のプリセットスイッチ６（６Ａ、６Ｂ）、フリー給油スイッチ７、内蔵ランプ１１（１１Ａ〜１１Ｃ）及び情報表示部１０は、右側の支柱ケース３５に配置された給油ホース２３を介して給油ノズル３７から給油する際に用いられ、上部ケース３３の左側に配置された１組のプリセットスイッチ６等は、左側の支柱ケース３６に配置された給油ホース２３を介して給油ノズル３７から給油する際に用いられる。緊急停止スイッチ８と、給油制御装置、キーパッド１２、人体センサ１３及び報知器１４は、支柱ケース３５及び支柱ケース３６の給油ノズル３７等に共通して用いられる。
【００６４】
下部ケース３４内の流量計１７等で構成される２組の給油機構は、支柱ケース３５及び支柱ケース３６の２組の給油ノズル３７等に対応して用いられる。
【００６５】
また、上記給油機構、及び給油制御装置等は、図４においてハウジング本体３２の手前側だけでなく、裏側にもさらに一式設けられ、ハウジング本体２の両面から４台のバイク等に同時に給油を行うことができる。
【００６６】
次に、本発明に係る給油装置の第３の実施形態について、図５を参照しながら説明する。尚、図５に示した給油装置４１において、図１に示した給油装置１、及び図４に示した給油装置３１と同一の構成要素については、同一の参照番号を付して詳細説明を省略する。
【００６７】
この給油装置４１は、図４に示した給油装置３１と同様、上部ケース３３と、下部ケース（不図示）と、支柱ケース３５、３６とで構成される直方体状のハウジング本体３２を備え、ハウジング本体３２の正面側と裏面側に各々一対の実線で示した給油ホース２３及び給油ノズル３７を備えること、及び情報表示部１０が２つしか設置されていない点のみ給油装置３１と異なる。この給油装置４１によれば、ハウジング本体２の両面から２台のバイク等に同時に給油を行うことができる。
【００６８】
尚、給油ホース２３及び給油ノズル３７をハウジング本体３２の正面側と裏面側に設けるのではなく、図５において破線で示すように、支柱ケース３５及び支柱ケース３６の各々の側面に設けてもよい。
【００６９】
図６は、本発明に係る給油装置の第４の実施形態を示し、図６に示した給油装置５１において、図１に示した給油装置１、及び図４に示した給油装置３１と同一の構成要素については、同一の参照番号を付して詳細説明を省略する。
【００７０】
この給油装置５１は、図４及び図５に示した給油装置３１、４１と同様、上部ケース３３と、下部ケース（不図示）と、支柱ケース３５、３６とで構成される直方体状のハウジング本体３２を備え、支柱ケース３５の側面に一対の給油ホース２３及び給油ノズル３７等を備える点のみ給油装置３１、４１と異なる。この給油装置５１によれば、ハウジング本体３２の正面又は裏面側のいずれか一方において１台のバイク等に給油を行うことができる。
【００７１】
次に、本発明に係る給油装置の第５の実施形態について、図７を参照しながら説明する。尚、図７に示した給油装置６１において、図１に示した給油装置１と同一の構成要素については、同一の参照番号を付して詳細説明を省略する。
【００７２】
この給油装置６１は、上部ケース６３と、下部ケース６４と、支柱ケース６５とで構成されるコの字型のハウジング本体６２を備える。
【００７３】
上部ケース６３には、給油を行うプリセットスイッチ６（６Ａ、６Ｂ、６Ｃ（図１には存在しない））と、フリー給油スイッチ７と、データを表示する情報表示部１０が設けられ、さらに、給油中に押された場合に給油装置６１の全ての動作を停止させる緊急停止スイッチ８と、給油装置６１全体を制御する給油制御装置（不図示）と、初期設定を行うキーパッド１２等が配置される。
【００７４】
下部ケース６４は、上部ケース６３の下方に設置され、この下部ケース６４には、地下タンクから燃料油を汲み上げる給油ポンプ７０と、給油ポンプ７０を駆動するための給油モータ７１と、給油モータ７１によって汲み上げられた燃料油の流量を制御するバルブ７２等が収容されている。
【００７５】
支柱ケース６５は、その片側の側面が、上部ケース６３及び下部ケース６４の側面と接するように設けられ、燃料油の流量を計測する流量計７３と、給油ホース２３の先端に取り付けられた給油ノズル３７を掛け置くためのノズル掛け１９等が設けられる。尚、図示しないが、ノズル掛け１９の近傍には上記ノズルスイッチ２０が付設される。
【００７６】
本実施の形態によれば、給油所等に設けられた外部の給油ポンプを用いることなく、給油装置６１のみで給油を行うことができる。
【００７７】
また、情報表示部１０を、プリセットスイッチ６及びフリー給油スイッチ７と水平方向に離間するように配置したため、給油装置６１と顧客との間に給油者が位置する際に、給油者の身体によって情報表示部１０と、プリセットスイッチ６及びフリー給油スイッチ７とが共に隠れることを回避できるため、顧客が給油データを視認できない状態を回避することができ、例えば、給油者が顧客から受け取った金額分よりも少ない量を給油する不正を防止することができる。
【００７８】
次に、本発明に係る給油装置の第６の実施形態について、図８乃至図１２を参照しながら説明する。尚、図８乃至図１２に示した給油装置８１において、図１に示した給油装置１及び図７に示した給油装置６１と同一の構成要素については、同一の参照番号を付して詳細説明を省略する。
【００７９】
この給油装置８１は、上部ケース８３と、下部ケース８４と、支柱ケース８５、８６と、頂部ケース８８で構成される直方体状のハウジング本体８２を備える。
【００８０】
上部ケース８３には、表示装置９０が設けられる。この表示装置９０は、図１０に示すように、給油を行うプリセットスイッチ６（６Ａ〜６Ｃ）と、フリー給油スイッチ７と、データを表示する情報表示部１０（表示器１０ａ及びステイタスランプ１０ｂ）と、設定量を表示する設定量確認表示器９１と、任意の設定量を入力するためのキーボード８７とが各々２つずつ設けられ、さらに、給油中に押された場合に給油装置８１の全ての動作を停止させる緊急停止スイッチ８と、給油装置８１全体を制御する給油制御装置９２（図１２参照）等が配置される。
【００８１】
キーボード８７は、プリセットスイッチ６の設定量に対応しない任意の設定量を入力するために設けられる。
【００８２】
設定量確認表示器９１は、情報表示部１０の下方に位置し、給油時に設定量を表示するために設けられる。これにより、給油時に顧客が設定量を確認することができる。
【００８３】
下部ケース８４は、上部ケース８３の下方に設置され、この下部ケース８４には、地下タンクから燃料油を汲み上げる給油ポンプ７０と、給油ポンプを駆動するための給油モータ７１と、燃料油の流量を制御するバルブ７２と、燃料油の流量を計測する流量計７３とが各々２つずつ収容されている。
【００８４】
ここで、情報表示部１０及び設定量確認表示器９１を、上記プリセットスイッチ６及びフリー給油スイッチ７と水平方向に離間するように配置したため、給油装置８１と顧客との間に給油者が位置する場合に、給油者の身体によって情報表示部１０及び設定量確認表示器９１の両方が隠れることを回避できるため、給油者による不正給油を防止することができる。
【００８５】
支柱ケース８５、８６は、各々のケースの片方の側面が、頂部ケース８８、上部ケース８３及び下部ケース８４の側面と接するように設けられ、支柱ケース８５、８６の各々には、図９に示すように、給油ホース２３の先端に取り付けられた給油ノズル３７を掛け置くためのノズル掛け１９が設けられ、ノズル掛け１９の近傍には、給油ノズル３７の掛け外しを検知するノズルスイッチ２０（図１２参照）が付設される。
【００８６】
図１０に示すように、表示装置９０の右側に配置された１組のプリセットスイッチ６（６Ａ〜６Ｃ）、フリー給油スイッチ７、情報表示部１０、設定量確認表示器９１及びキーボード８７は、右側の支柱ケース８５に配置された給油ホース２３を介して給油ノズル３７から給油する際に用いられ、表示装置９０の左側に配置された１組のプリセットスイッチ６等は、左側の支柱ケース８６に配置された給油ホース２３を介して給油ノズル３７から給油する際に用いられる。これら以外の緊急停止スイッチ８、給油制御装置９２等は、支柱ケース８５及び支柱ケース８６の給油ノズル３７等に共通して用いられる。
【００８７】
支柱ケース８５には、後述する給油制御装置９２と電気的に接続されるプリンタ１００が設置され、このプリンタ１００は、図１１に示すように、給油データ等を表示する表示器１０１と、給油装置８１の設定を行ったり、伝票の印字を開始するためのキーパッド１０３を備える。プリンタ１００の上方及び下方には、表示器１０１の表面等よりも手前側に突出する保護バー１０５、１０６が設けられ、これによって、作業中に給油ホース２３が表示器１０１等に衝突して表示器１０１が損傷するのを回避する。尚、キーパッド１０３は、必ずしも設ける必要はない。
【００８８】
一方、給油制御装置９２は、図１２に示すように、計数手段９２ａと、クォーツ９ｂと、保守判断手段９ｃと、記憶手段９ｄと、表示器１０ａを駆動する表示器駆動手段９ｈと、給油モータ７１を駆動する給油モータ駆動手段９２ｂと、ステイタスランプ１０ｂを駆動するステイタスランプ駆動手段９２ｃと、設定量確認表示器９１を駆動する設定量確認表示器駆動手段９２ｄと、バルブ７２を駆動するバルブ駆動手段９２ｅと、設定量に達したか否かを判断する設定量判断手段９２ｆ等を備える。
【００８９】
計数手段９２ａは、流量計７３の流量パルス発信器からの流量パルス信号をカウントし、プリセットスイッチ（ＳＷ）６（６Ａ〜６Ｃ）、フリー給油スイッチ（ＳＷ）７、ノズルスイッチ（ＳＷ）２０及びキーボード８７からの信号を受信して、保守判断手段９ｃ及び表示器駆動手段９ｈに駆動信号等を送信する。
【００９０】
給油モータ駆動手段９２ｂは、プリセットスイッチ６、フリー給油スイッチ７、緊急停止スイッチ（ＳＷ）８、ノズルスイッチ２０及びキーボード８７から送信された信号を受信して給油モータ７１を駆動／停止するために備えられる。
【００９１】
ステイタスランプ駆動手段９２ｃは、プリセットスイッチ６、フリー給油スイッチ７、ノズルスイッチ２０及びキーボード８７から送信された信号を受信してステイタスランプ１０ｂを駆動／停止するために備えられる。
【００９２】
設定量確認表示器駆動手段９２ｄは、プリセットスイッチ６、フリー給油スイッチ７、ノズルスイッチ２０及びキーボード８７から送信された信号を受信して設定量確認表示器９１を駆動するために備えられる。
【００９３】
バルブ駆動手段９２ｅは、プリセットスイッチ６、フリー給油スイッチ７、緊急停止スイッチ８、ノズルスイッチ２０、キーボード８７及び設定量判断手段９２ｆから信号を受信してバルブ７２を開閉するために備えられる。
【００９４】
次に、上記構成を有する給油装置８１の動作について図８乃至図１４を参照しながら説明する。尚、給油装置８１の初期設定等、上記給油装置１と同様の動作については、詳細な説明を省略する。
【００９５】
ステップＳ１において、給油者が給油ノズル３７をノズル掛け１９から外し、ノズルスイッチ２０がＯＮになり、ステップＳ２において、プリセットスイッチ６の押圧を判断する。
【００９６】
ステップＳ２において、例えば、プリセットスイッチ６Ａが押圧されると（ステップＳ２：Ｙｅｓ）、プリセットスイッチ６Ａから計数手段９２ａに信号が送信され、表示装置９０の情報表示部１０の表示器１０ａを帰零すると共に、ステイタスランプ１０ｂを消灯する（ステップＳ３）。
【００９７】
次いで、プリセットスイッチ６Ａからステイタスランプ駆動手段９２ｃ及び設定量判断手段９２ｊに信号が送信され、給油量の設定が行われる（ステップＳ４）。ここで、プリセットスイッチ６Ａに対応するステイタスランプ１０ｂが点灯する。
【００９８】
給油量の設定が終了すると、給油モータ駆動手段９２ｂ及びバルブ駆動手段９２ｅは、プリセットスイッチ６Ａから受信した信号に基づいて、給油モータ７１を駆動し、地下タンク（不図示）から燃料油を汲み上げ、バルブ７２を開き、流量計７３、給油ホース２３を介して給油ノズル３７の先端からバイク等の燃料タンクに給油する（ステップＳ５）。
【００９９】
給油中は、流量計７３の流量パルス発信器からの流量パルス信号を計数手段９２ａでカウントし、カウント値に基づいて表示器１０ａに給油量を表示する。
【０１００】
上記動作と共に、計数手段９２ａによるカウント値を設定量判断手段９２ｆに送信し、設定量判断手段９２ｆで設定量に達したか否か判断する（ステップＳ６）。設定量判断手段９２ｆが設定量に達したと判断すると（ステップＳ６：Ｙｅｓ）、バルブ駆動手段９２ｅ及び給油モータ駆動手段９２ｂへ給油終了を示す信号を送信し、バルブ７２が閉じ、給油モータ７１の運転が停止すると共に、プリンタ１００へ給油データを送信する（ステップＳ７）。
【０１０１】
給油終了後、プリセットスイッチ６が押圧されると（ステップＳ８：Ｙｅｓ）、給油を再開するものと判断し、ステップＳ３に戻る。一方、プリセットスイッチ６が所定時間経過しても押圧されない場合には（ステップＳ８：Ｎｏ）、ノズルスイッチ２０がＯＦＦになるか否かを所定時間監視し（ステップＳ９）、ノズルスイッチがＯＦＦになった場合には（ステップＳ９：Ｙｅｓ）、スタートへ戻って次の給油に備える。一方、ノズルスイッチがＯＦＦにならない場合には、給油を再開する可能性があるため、ステップＳ８へ戻る。
【０１０２】
一方、ステップＳ２において、プリセットスイッチ６が押圧されない場合には（ステップＳ２：Ｎｏ）、ステップＳ１０において、キーボード８７による入力があるかを判断する。ここで、キーボード８７により任意の設定量が入力されると（ステップＳ１０：Ｙｅｓ）、ステップＳ１１において、フリー給油スイッチ７が押圧されるまで待機し、フリー給油スイッチ７が押圧されると、ステップＳ３へ移行し、任意の設定量の給油が上記手順で行われる。
【０１０３】
一方、ステップＳ１０において、キーボード８７による入力が行われない場合には（ステップＳ１０：Ｎｏ）、ステップＳ１２において、フリー給油スイッチ７が押圧されたか否か判断し、フリー給油スイッチ７が押圧された場合には（ステップＳ１２：Ｙｅｓ）、フリー給油スイッチ７から計数手段９２ａに信号が送信され、表示装置９０の情報表示部１０の表示器１０ａを帰零すると共に、ステイタスランプ１０ｂを消灯する（ステップＳ１３）。
【０１０４】
そして、給油モータ駆動手段９２ｂ及びバルブ駆動手段９２ｅは、フリー給油スイッチ７から受信した信号に基づいて、給油モータ７１を駆動して地下タンク（不図示）から燃料油を汲み上げ、バルブ７２を開き、流量計７３、給油ホース２３を介して給油ノズル３７の先端からバイク等の燃料タンクに給油する（ステップＳ１４）。
【０１０５】
次に、ステップＳ１５において、ノズルスイッチ２０がＯＦＦになると（ステップＳ１５：Ｙｅｓ）、給油が終了したと判断し、給油モータ駆動手段９２ｂによって給油モータ７１の運転を停止し、バルブ駆動手段９２ｇによってバルブ７２を閉じると共に、給油データをプリンタ１００に送信する（ステップＳ１６）。その後は、次の給油に備えるためにスタートへ戻る。
【０１０６】
以上のように、本実施の形態によれば、キーボード８７を設けたことにより、プリセットスイッチ６の設定量に対応しない任意の設定量の給油を行うこともできる。
【０１０７】
次に、プリンタ１００による給油データの印字について、図１４を参照しながら説明する。
【０１０８】
図１３のステップＳ７においてバルブ７２が閉じ、給油モータ７１の運転が停止すると共に、プリンタ１００へ給油データが入力されると、あるいはステップＳ１６において給油モータ駆動手段９２ｂによって給油モータ７１の運転を停止し、バルブ駆動手段９２ｅによってバルブ７２を閉じると共に、プリンタ１００へ給油データが入力されると（ステップＳ２１：Ｙｅｓ）、表示器１０１に表示される給油データを入力された給油データに更新する（ステップＳ２２）。そして、ステップＳ２３において、キーパッド１０３の所定の釦（「１」又は「２」等）が押圧されたか否かを判断し、所定の釦が押圧されると、伝票の印字を行い（ステップＳ２４）、伝票の印字を一度しか行わないように、印字した給油データをクリアする（ステップＳ２５）。その後は、次の給油データの入力に備えてスタートへ戻る。
【０１０９】
一方、ステップＳ２３において、所定時間経過してもキーパッド１０３の所定の釦が押圧されない場合には、顧客が伝票の印字を希望していないと判断し、次の給油データの入力に備えて、スタートへ戻る。
【０１１０】
以上のように、本実施の形態によれば、給油後の給油データを必ず印字するのではなく、顧客が給油データの印字を希望する場合にのみ印字を行うことで、迅速かつ円滑に給油を行うことができる。
【符号の説明】
【０１１１】
１  給油装置
２  ハウジング本体
３  上部ケース
４  下部ケース
５  支柱ケース
６（６Ａ〜６Ｃ）  プリセットスイッチ
７  フリー給油スイッチ
８  緊急停止スイッチ
９  給油制御装置
９ａ  計数手段
９ｂ  クォーツ
９ｃ  保守判断手段
９ｄ  記憶手段
９ｅ  ステイタスランプ駆動手段
９ｆ  ポンプ駆動手段
９ｇ  バルブ駆動手段
９ｈ  表示器駆動手段
９ｉ  報知器駆動手段
９ｊ  設定量判断手段
１０  情報表示部
１０ａ  表示器
１０ｂ  ステイタスランプ
１１（１１Ａ〜１１Ｃ）  内蔵ランプ
１２  キーパッド
１３  人体センサ
１４  報知器
１５  第１バルブ
１６  第２バルブ
１７  流量計
１８  フィルター
１９  ノズル掛け
２０  ノズルスイッチ
２１  ポンプ室
２２  給油ポンプ
２３  給油ホース
３１  給油装置
３２  ハウジング本体
３３  上部ケース
３４  下部ケース
３５、３６  支柱ケース
３７  給油ノズル
４１  給油装置
５１  給油装置
６１  給油装置
６２  ハウジング本体
６３  上部ケース
６４  下部ケース
６５  支柱ケース
７０  給油ポンプ
７１  給油モータ
７２  バルブ
７３  流量計
８１  給油装置
８２  ハウジング本体
８３  上部ケース
８４  下部ケース
８５、８６  支柱ケース
８７  キーボード
８８  頂部ケース
９０  表示装置
９１  設定量確認表示器
９２  給油制御装置
９２ａ  計数手段
９２ｂ  給油モータ駆動手段
９２ｃ  ステイタスランプ駆動手段
９２ｄ  設定量確認表示器駆動手段
９２ｅ  バルブ駆動手段
９２ｆ  設定量判断手段
１００  プリンタ
１０１  表示器
１０３  キーパッド
１０５、１０６  保護バー
【図１】
0006590150.tif 000002
【図２】
0006590150.tif 000003
【図３】
0006590150.tif 000004
【図４】
0006590150.tif 000005
【図５】
0006590150.tif 000006
【図６】
0006590150.tif 000007
【図７】
0006590150.tif 000008
【図８】
0006590150.tif 000009
【図９】
0006590150.tif 000010
【図１０】
0006590150.tif 000011
【図１１】
0006590150.tif 000012
【図１２】
0006590150.tif 000013
【図１３】
0006590150.tif 000014
【図１４】
0006590150.tif 000015